(57)【特許請求の範囲】
【請求項１】
包装材料（２）でベールを包装するように構成され、時計回り方向又は反時計回り方向に回転可能な包装ユニット（３）を備え、
前記包装ユニット（３）は、ベールの周囲を反時計回り方向に回転することによりベールの一部を包装し、前記ベールの周囲を時計回り方向に回転することにより、前記ベールの他の部分を包装するように構成されていることを特徴とする包装装置（１）。
【請求項２】
前記ベールの周囲で包装ユニット（３）が回転している間、包装材料（２）をガイドするように構成されたガイド手段を備えることを特徴とする請求項１に記載の包装装置（１）。
【請求項３】
前記ガイド手段は、包装材料（２）をガイドする１以上のガイドローラ（６）を備えることを特徴とする請求項２に記載の包装装置（１）。
【請求項４】
前記包装ユニット（３）の回転軸は、使用時、包装すべきベールの中心線と合致していることを特徴とする請求項１から３のいずれか１項に記載の包装装置（１）。
【請求項５】
前記包装ユニット（３）は、少なくとも開始位置（ＳＰ）と払出位置（ＡＰ）の間を反時計回り方向に回転可能であり、払出位置（ＡＰ）と終端位置（ＥＰ）の間を時計回り方向に回転可能であることを特徴とする請求項１から４のいずれか１項に記載の包装装置（１）。
【請求項６】
前記包装ユニット（３）は、終端位置（ＥＰ）と切断位置（ＣＰ）の間を移動可能であることを特徴とする請求項５に記載の包装装置（１）。
【請求項７】
前記包装ユニット（３）は、開始位置と払出位置の間を回転している間、包装材料（２）を搬送する１以上の締結要素を備えることを特徴とする請求項５又は６に記載の包装装置（１）。
【請求項８】
さらに、前記払出位置で包装材料（２）を把持し、ベールの一部を包装するために包装ユニット（３）の終端位置（ＥＰ）に向かって直線的に移動可能な搬送部（４）を備えることを特徴とする請求項５から７のいずれか１項に記載の包装装置（１）。
【請求項９】
包装材料のロールを保持するように構成された回転可能なロールホルダ（５）を備え、前記ロールホルダ（５）は、ベールを包装している間、包装材料（２）に張力を付与し続けるように構成されていることを特徴とする請求項１から８のいずれか１項に記載の包装装置（１）。
【請求項１０】
前記包装ユニット（３）は包装材料（２）を切断するための切断装置（７）を備えることを特徴とする請求項１から９のいずれか１項に記載の包装装置（１）。
【請求項１１】
前記包装材料（２）は、ポリプロピレン又はポリエチレンで構成されたテープ状の織物であることを特徴とする請求項１から１０のいずれか１項に記載の包装装置（１）。
【請求項１２】
連続してベールを形成するように構成され、ベールを圧縮するための圧縮部（９）と、形成されたベールを包装するための包装装置（１）とを備えたベール圧縮装置（８）であって、
前記包装装置（１）は前記請求項１から１１のいずれか１項に記載された構成であることを特徴とするベール圧縮装置（８）。
【請求項１３】
縛り材料を使用して包装されたベールを縛るように構成された縛り装置（１０）を備えることを特徴とする請求項１２に記載のベール圧縮装置（８）。
【請求項１４】
前記圧縮部（９）は、包装材料（２）を一時的に包装ユニット（３）の終端位置（ＥＰ）でベールを圧縮し続けるように構成される加圧手段（１１）を備えることを特徴とする請求項１２又は１３に記載のベール圧縮装置（８）。
【請求項１５】
ベール（１２）の下面を覆うために圧縮部（９）に包装材料の下シートを供給するステップと、
前記ベール（１２）の上面を覆うために圧縮部に包装材料の上シートを供給するステップと、
前記圧縮部（９）でベール（１２）を形成するステップと、
前記ベールの周囲で、包装ユニットを、反時計回り方向に回転させることにより、ベールの側面（Ａ，Ｂ，Ｃ，Ｄ）の少なくとも３つの側面を包装し、前記ベールの周囲で、包装ユニットを、時計回り方向に回転させることにより前記側面の残る部分を包装するステップと、
を備えたことを特徴とする請求項１２から１４のいずれか１項に記載のベール圧縮装置（８）でベールを形成して包装するための方法。
【請求項１６】
第４側面（Ｄ）の少なくとも一部は、回転可能な包装ユニット（３）の終端位置（ＥＰ）の方向に向かう、払出位置（ＡＰ）の搬送部（４）の直線的な移動によって包装されることを特徴とする請求項１５に記載の方法。
【発明の詳細な説明】
【技術分野】
【０００１】
一方では、本発明は、時計回り方向及び反時計回り方向に回転可能な包装ユニットを備えた、包装材料でベール（bale）を包装するように構成された包装装置に関する。特に本発明は、ベールの（４つの）側面を包装するように構成された包装装置に関する。
【０００２】
他方では、本発明は、そのような包装装置によってベールを包装するための方法に関する。
【０００３】
また本発明は、ベールを圧縮する圧縮部を備え、連続してベールを形成するように構成されたベールプレス装置と、形成されたベールを包装するための包装装置とに関する。
【背景技術】
【０００４】
供給された材料をチャンバー内へと垂直に押圧するプレスは、続いてベールをチャンバーから取り出すか、又は、チャンバーから外に押し出すことによって解放することが公知であり、異なる実施形態にもある。５０から５０００ｋＮの押圧力を使用すると、そのようなベールプレス装置は、天然又は人工の繊維、紙、段ボール、発泡体、樹脂等の圧縮可能な材料を自動的又は半自動的に圧縮し、ベールを形成する。
【０００５】
材料の損失又は圧縮された材料の汚染を防止し、ベールの空間での安定性を維持し、湿気等からベールを保護するため、ベールは圧縮後に包装材料で覆われる。これは、例えば段ボールからなるシート状の材料であればよいが、例えば、樹脂フィルム又は織物等の柔軟な材料であってもよい。包装は、自動又は手動で行えばよい。
【０００６】
包装後、形成されたベールは、例えば、鉄、鋼又は樹脂からなる紐状又はワイヤ状の材料によって手動又は自動で縛り付けてもよい。
【０００７】
現在、形成されたベールを自動的に包装するためのシステムが既に公知である。この場合、形成されたベールの上下面にはまず、上面及び下面シートがそれぞれ供給される。続いて、ベールの４つの（垂直な）水平面にいわゆる中間シートが供給される。現存するシステムによれば、中間シートは梱包材料の２つのストリップによって形成されており、それぞれベールの一部を覆い、溶着処理によって互いに接続される。最後に、溶着可能な放送材料と共に分離したロールが圧縮部の出口の片側に配置される。
【０００８】
上述の包装システムの第１の欠点は、中間シートがベールの周囲にぴったり配置されないということであり、その結果、上面及び下面のシートが外れてしまう。また、このような包装は、例えば、ポリエチレン等の溶着可能な包装材料の使用にのみ適しているだけである。
【０００９】
他のシステムでは、圧縮されたベールと共にパンチが３６０°回転される。回転動作中、包装材料はベールの垂直面に配置される。しかしながら、この実施形態は技術的な理解が困難である。
【００１０】
さらに、包装の他の方法が特許文献１に記載されている。この刊行物では、包装ユニットをベールの周囲で反時計回り方向に回転させることにより、ベールの一部を包装するために、時計回り及び反時計回り方向に回転可能な包装ユニットからなるものが使用されている。
【先行技術文献】
【特許文献】
【００１１】
【特許文献１】国際公開第２００５／０１２０９８号
【発明の概要】
【発明が解決しようとする課題】
【００１２】
特許権者は包装材料としてポリプロピレンを編み合わせるための切替オプションを検討する際、溶融することは困難であり、例えばとりわけ、ユーザが使用したい包装材料を自由に選択することを許容する包装装置を提供することが本発明の目的である。本発明の他の目的は、別個の溶着操作を必要とすることなく、ベールの周囲に迅速に中間シートを配置することを可能とすることである。
【００１３】
本発明の目的は、包装材料でベールを包装するための包装装置であって、時計回り方向及び反時計回り方向に回転可能で、包装ユニットを、ベールの周囲に反時計回り方向に回転させることによりベールの一部を包装し、時計回り方向に回転させることによりベールの他の部分を包装するように構成された包装ユニットを備える。
【課題を解決するための手段】
【００１４】
そのような包装装置は、帯状の包装材料を使用して、ベール、特にその垂直面を包装することを可能とする利点があるので、それ以上、独立した溶融ユニットは必要とされず、新たに設けなくてもよい。そのような溶融ユニットがなければ、設備コストを低減し、メンテナンスを抑え、効率性が向上する。また、そのような包装装置によって、より迅速にベールを包装することができる。さらに、ベールを包装するために溶融可能な材料を使用しなくてもよい。使用する包装材料は、ポリプロピレン又はポリエチレンからなるテープ織物であるのが好ましい。しかしながら、好ましくはポリエチレン等の包装のための溶融可能な包装材料を使用することも可能である。
【００１５】
本発明に係る包装装置は、いわゆる「高容量ベール圧縮装置」から始まるベールを包装するのに特に適している。そのような装置は１時間当たり１５から２０の梱包を圧縮する。
【００１６】
本発明に係る包装装置の好ましい実施形態では、包装ユニットは、包装ユニットがベールの周囲を回転している間、包装ユニットを介して包装材料をガイドするように構成されたガイド手段を備える。ガイド手段は（回転可能なロールホルダと共に）、包装材料が回転動作中にベールの周囲をしっかりと包装することを保証する。
【００１７】
本発明に係る包装装置の好ましい実施形態によれば、回転可能な包装ユニットの回転軸は、使用中、包装すべきベールの中心線と一致している。
【００１８】
本発明に係る包装装置のより好ましい実施形態によれば、回転可能な包装ユニットは、少なくとも、開始位置と払出位置との間を反時計回り方向に回転可能であり、排出位置と終端位置との間を時計回り方向に回転可能である。包装ユニットは、払出位置と終端位置との間を回転している間、開始位置を通過する。包装サイクルが終了した後、包装ユニットは反時計回り方向に回転することにより開始位置に復帰する。他の実施形態では、上述の包装ユニットの回転方向は、例えば、包装ユニットの位置のため、反対方向となってもよい。この結果、回転可能な包装ユニットは続いて、少なくとも、開始位置と払出位置との間を時計回り方向に回転可能となり、払出位置と終端位置の間を反時計回り方向に回転可能となる。包装ユニットは、払出位置と終端位置の間を回転している間、開始位置を通過する。包装サイクルが終了した後、包装ユニットは時計回り方向に回転することにより開始位置に復帰する。
【００１９】
本発明に係る包装装置のより好ましい実施形態では、回転可能な包装ユニットは、開始位置と払出位置の間での回転中に包装材料を搬送するために１以上の把持要素を備える。
【００２０】
開始位置と払出位置の間で包装装置を回転させている間、形成されたベールの２つの垂直面、特に、背面と一方（左側）の側面に包装材料が供給される。ここで、包装材料の前面を供給することができるようにするため、最も特別な実施形態では、さらに払出位置で包装材料を保持し、ベールの一部を包装するために、回転可能な包装ユニットの終端位置の方向に沿って搬送するように構成された直線的に移動可能な搬送部を備えている。さらに、移動可能な搬送台は、終端位置に沿って搬送された包装材料を解放するように構成されているのが好ましい。包装材料が解放された後、その包装材料は、好ましくは、原則としてベール圧縮装置の一部を構成する押圧手段によってベールを押圧する。一方、前記搬送台は、次のベールの包装中に材料を包装する新たなストリップを把持する準備をするために、払出位置へと戻る。特定の実施形態では、移動可能な搬送台は、包装されたベールを拘束するように構成された拘束装置の一部を形成してもよい。
【００２１】
まだ覆われていない他（右側）の側面には、払出位置と終端位置の間で時計回り方向に包装ユニットが回転している間、包装材料が供給される。包装ユニットの回転動作中、包装材料はこの包装ユニットを移動し続ける。この回転動作中、包装ユニットは開始位置を通過する。開始位置では、包装ユニットが包装材料を引っ張り、その結果、その包装材料は終端位置の方向へと搬送される。このようにして、右側側面が覆われる。
【００２２】
本発明に係る包装装置のより好ましい実施形態では、包装装置は、包装材料のロールを保持するように構成された回転可能なロールホルダを備え、このロールホルダは、ベールの包装中に引き出し可能で、包装材料を引っ張った状態に維持するように構成されている。包装ユニットが回転してベールが包装されている間、材料が引っ張り続けられるため、包装材料は、ベールに一旦接触し、周囲に強固に固定される。ロールホルダは定トルク制御の原理に従って駆動する。ロールホルダは固定位置に配置されている。すなわち、ロールホルダはベールの包装中、同じ位置に留まる。他の実施形態では、ロールホルダは水平方向で固定位置に配置される。傾斜（４５°）配置したシャフトにより、包装材料が水平から垂直に確実に回転する。この場合、包装材料は浮動ローラによって引っ張られた状態を維持する。このシステムの利点は、浮動ローラが包装材料の量を確実に増大させ、その結果、ロールホルダが巻き戻されなければならないだけとなり、包装材料を巻き上げることがないということである。
【００２３】
本発明に係る包装装置の好ましい実施形態では、ガイド手段は包装材料をガイドするための１以上のガイドローラを備える。
【００２４】
特定の実施形態によれば、回転可能な包装ユニットは、包装材料を切断するための切断装置を備える。包装材料は、ベールが覆われた後切断される。特に、終端位置では、回転可能な包装ユニットは、終端位置と切断位置の間を移動可能である。包装ユニットは、垂直軸に対する傾斜動作、又は、直線動作によって、終端位置と切断位置の間を移動するのが好ましい。
【００２５】
包装ユニットが傾斜又は直線動作を行うため、包装材料は形成されたベールをしっかりと圧縮する。この場合、重要であるのは、ベールが既に上下シートを供給されていれば、これら上下シートが、包装装置によって供給された包装材料によって所定位置に確実に保持されることである。
【００２６】
また、本発明は、ベールを圧縮する圧縮部と、形成されたベールを包装する包装装置とを備え、包装装置が上述のように構成され、連続的にベールを形成するように構成されたベール圧縮装置に関するものである。
【００２７】
本発明に係るベール圧縮装置の好ましい実施形態では、ベールを包装する包装材料がほどけることを阻止するために、縛り材料を使用して包装されたベールを縛るように縛り装置が設けられている。特に、縛り装置は、包装されたベールを自動的に縛るように構成されている。縛り材料は、ワイヤ状又は帯状であって、特に鉄、鋼又は樹脂製であるのが好ましい。
【００２８】
本発明に係るベール圧縮装置の特定の実施形態によれば、圧縮部は、包装材料を一時的に包装ユニットの終端位置でベールに押し付け続けるように構成された圧縮手段を備える。圧縮手段は、メインプレスの上下パンチに設けた回転可能なフックとして構成されている。
【００２９】
本発明の他の主題は、上述のベール圧縮装置でベールを形成して包装するための方法に関する。
この方法は、
圧縮部に、形成すべきベールの下面を覆うための包装材料の下シートを供給するステップと、
形成されたベールの上面を覆うために圧縮部に包装材料の上シートを供給するステップと、
前記圧縮部でベールを形成するステップと、
少なくともベールの３つの側面を、包装ユニットをベールの回りで反時計回り方向に回転させて、その一部を包装すると共に、時計回り方向に回転させて、他の部分を包装することにより覆うステップと、
からなる。
【発明の効果】
【００３０】
本発明に係る特定の方法によれば、４つ目の側面（前面）は、直線的に移動可能な搬送部が払出位置で包装材料を把持し、回転可能な包装ユニットの終端位置に搬送するように構成されていることにより包装される。さらに、移動可能な搬送部は、終端位置で、搬送される包装材料を提供するのが好ましい。
【図面の簡単な説明】
【００３１】
【図１】本発明に係る包装装置を備えたベール圧縮装置の圧縮部の斜視図である。
【図２】図１に示す圧縮部及び包装装置の側面図である。
【図３】回転可能な包装ユニット及び駆動可能なロールホルダの詳細図である。
【図４】本発明に係る包装装置によるベールの側面を包装するための種々の方法のステップを示す図である。
【図５】本発明に係る包装装置によるベールの側面を包装するための種々の方法のステップを示す図である。
【図６】本発明に係る包装装置によるベールの側面を包装するための種々の方法のステップを示す図である。
【図７】本発明に係る包装装置によるベールの側面を包装するための種々の方法のステップを示す図である。
【図８】本発明に係る包装装置によるベールの側面を包装するための種々の方法のステップを示す図である。
【図９】本発明に係る包装装置によるベールの側面を包装するための種々の方法のステップを示す図である。
【図１０】本発明に係る包装装置によるベールの側面を包装するための種々の方法のステップを示す図である。
【図１１】本発明に係る包装装置によるベールの側面を包装するための種々の方法のステップを示す図である。
【発明を実施するための形態】
【００３２】
ここでは、本発明の特徴をさらに説明し、追加の効果と特徴を示すために、本発明に係る包装装置と、ベールがそのような包装装置によって包装される方法とについて、以下により詳細に説明する。以下の詳細な説明では、請求項に記載された発明の保護範囲を制限するように解釈されるべきものはないことは明らかである。
【００３３】
図１及び図２に図示されるベール圧縮装置（８）は、圧縮可能な材料を圧縮するのに適した、例えば、天然及び人工の繊維、紙、ボール紙、発泡体、樹脂等のベール（１２）を形成するための圧縮部（９）を備える。ベール（１２）を保護し、又は、材料の損失を防止するため、ベール（１２）の異なる面に包装材料（２）が供給される。ベールの上下面は包装材料のシートすなわち上下シートでそれぞれ覆われる。この結果、ベール圧縮装置（８）は、１枚の包装材料（上下シート）がある長さに切断され、ベールが圧縮部に形成される前に所定位置まで搬送されることを確実にする包装アプリケータを備える。
【００３４】
４つの側面（Ａ，Ｂ，Ｃ及びＤ）を包装材料で覆うため、特許権者は図４から図１１に図示された包装装置（１）を発明した。この装置（１）は、時計回り方向及び反時計回り方向に回転可能で（図３参照）、包装ユニット（３）をベールの周囲で反時計回り方向に回転させることによりベール（１２）の一部を包装し、包装ユニット（３）をベールの周囲で時計回り方向に回転させることにより、ベールの他の部分を包装するように構成されている。包装ユニット（３）は、基本的に４側面のうち、３側面（図示された実施形態では、面Ａ，Ｂ及びＣ）を覆い、４つ目の側面（Ｄ）の小さい部分（この面の長さの約４０％）を包装材料（２）で覆う。４つ目の面（Ｄ）を包装材料で完全に覆うため、包装装置（１）はさらに直線的に移動可能な搬送部（４）を備える。この搬送部（４）は、包装材料（２）を把持するのに適した１以上の把持要素を備えてもよい。また包装ユニット（３）は、包装材料（２）を切断するための切断装置（７）を備える。包装材料（２）は、ベールが包装された後、切断される。
【００３５】
さらなる説明により明らかとなるが、本発明に係る包装装置（１）を使用し、１つの包装材料のストリップを使用して、ベール（１２）の側面（Ａ，Ｂ，Ｃ，Ｄ）を包装することが可能である。この結果、従来技術に比べ、既に説明もしたように、分離した接合操作は必要とされない。これにより、例えば、織り合わせたポリプロピレン又はポリエチレンからなるテープ状の織物等のベールを包装するために接合できない、又は、容易には接合可能ではない材料をも使用することができる。ポリエチレン等の接合可能な包装材料を使用してベールを包装することが可能であるのは明らかである。
【００３６】
以下、ベールの側面（Ａ，Ｂ，Ｃ及びＤ）が本発明に係る包装装置（１）を使用して包装する方法を、図４から図１１に従って説明する。しかしながら、例えば、包装装置の種々の部位の異なる位置や回転可能な包装ユニット（３）の改良された回転方向に基づいて、代替の包装方法も又、本発明の保護範囲に含まれる。
【００３７】
上下シートが供給されると、回転可能な包装ユニット（３）は開始位置（ＳＰ）に位置する（図４参照）。包装材料（２）はベール（１２）の側面（Ａ，Ｂ，Ｃ及びＤ）を包装するために使用される包装材料は、固定されたロールホルダ（５）に設けたロールに位置決めされる。図示するように、ロールホルダ（５）は、固定位置で、包装されるべきベール（１２）に隣接して、ベールの後方側の位置に配置される。
【００３８】
第１ステップでは、包装ユニット（３）は開始位置（ＳＰ）から払出位置（ＡＰ）に向かって反時計回り方向に回転する（図５の包装ユニットの位置参照）。この回転動作中、固定されたロールホルダ（５）に設けたロールから始まる包装材料（２）は、締結要素によって強固に締結され、包装ユニット（３）に設けられ、ベール（１２）の背面（図３では参照符号Ｂで示す）と（左側）側面（Ｃ）が包装材料（２）によって覆われる。包装ユニット（３）の回転中、包装材料は包装ユニット（３）にガイドされる。この結果、包装ユニット（３）はガイドローラ（６）からなるガイド手段を備える。
【００３９】
包装ユニット（３）が払出位置（ＡＰ）に至ると、包装材料（２）は、直線的に移動可能な搬送部（４）に設けた把持要素によって把持され、締結要素は包装材料（２）を解放する（図５参照）。このとき、直線的に移動可能な搬送部（４）はベール（１２）の一方の側部に配置される。
【００４０】
第２ステップでは、搬送部（４）は、ベールの前面（Ｄ）を包装材料（２）で垂直方向に完全に覆うために、ベールの他方の側部側へと直線的に移動する（図６参照）。同時に、包装ユニット（３）は終端位置（ＥＰ）に向かって時計回り方向に回転する。この包装ユニット（３）の回転動作中、締結要素が開放し、包装材料は包装ユニット（３）を通過する。直線的な搬送部（４）は、回転可能な包装ユニット（３）の終端位置の配置に沿って搬送された包装材料（２）を解放する。包装材料（２）は、解放される前、基本的にはベール圧縮装置の一部を形成する加圧手段（１１）を介して片側にベールを圧縮するのが好ましい。この結果、前記搬送部（４）は、次のベールの包装中に新しい包装材料のストリップを保持する用意をするために、原点位置に復帰する。
【００４１】
払出位置（ＡＰ）と終端位置（ＥＰ）の間を回転している間、包装ユニット（３）は開始位置（ＳＰ）を通過する（図７参照）。開始位置（ＳＰ）では、包装ユニット（３）は終端位置（ＥＰ）の方向に沿って包装材料を搬送し、第３ステップでは、包装材料（２）でベール（１２）の右側側面（Ａ）を覆う。
【００４２】
包装ユニット（３）が終端位置（ＥＰ）に到達した時点で（図８参照）、ベール全体が前面（Ａ）の小さな一部を除いて覆われる。この最後の部分は、第４ステップで、包装ユニット（３）により終端位置（ＥＰ）から切断位置（ＣＰ）に移動する包装材料（３）で覆われる（図９参照）。包装ユニット（３）は、垂直軸の周囲の傾斜動作によって、あるいは、直線的な動きによって、終端位置と切断位置の間を移動するのが好ましい。包装ユニット（３）が傾斜又は直線運動を行うことにより、包装材料は得られるベールを強固に圧縮する。これは、ベールに上下シートが既に供給されていれば、上下シートが包装装置（１）によって適用される包装材料によって確実に位置決めされるという顕著な効果である。
【００４３】
その後、包装材料（３）は切断装置（７）によって切断位置（ＣＰ）で切断される。包装材料が切断された後、ベールはさらに縛ることができる。このため、ベール圧縮装置（１）は、縛り材料を使用してベールを縛るための縛り装置（１０）を備えてもよい。縛り装置は、例えば、鉄、鋼、あるいは、樹脂製のワイヤ、ストリップ等のワイヤ状の縛り材料を使用してベールを縛るのが好ましい。この場合、移動可能な搬送部（４）は包装されたベールを縛るように構成された縛り装置の一部を構成するようにしてもよいことに注意すべきである。
【００４４】
包装サイクルが終了した後、包装ユニット（３）は反時計回り方向に回転することにより開始位置に復帰する（図１１）。
【００４５】
本発明に係る包装装置（１）を使用することにより、ベール（１２）の周囲にしっかりと包装材料を取り付けることができる。一方、これは、包装ユニットの回転動作中、包装材料は包装ユニット内を移動し続けることに基づいており、他方、ロールホルダ（５）が駆動可能で、ベールの包装中、包装材料を引っ張り続けるように構成されていることに基づいている。包装ユニットの回転中、材料が引っ張り続けられることにより、ベールの包装中、包装材料がベールに取り付けられ、周囲に強固に包装される。
【００４６】
本発明に係る包装装置（１）を使用することにより、供給された材料がチャンバー内で垂直方向に圧縮され、ベールがチャンバーから取り外されて解放されるか、あるいは、ベールを効率的で簡単な方法でチャンバーから押し出すことにより、ベールは解放される。
【符号の説明】
【００４７】
１…包装装置
２…包装材料
３…包装ユニット
４…搬送部
５…ロールホルダ
６…ガイドローラ
７…切断装置
８…圧縮装置
９…圧縮部
１１…加圧手段
１２…ベール
【図１】
0006499666.tif 000002
【図２】
0006499666.tif 000003
【図３】
0006499666.tif 000004
【図４】
0006499666.tif 000005
【図５】
0006499666.tif 000006
【図６】
0006499666.tif 000007
【図７】
0006499666.tif 000008
【図８】
0006499666.tif 000009
【図９】
0006499666.tif 000010
【図１０】
0006499666.tif 000011
【図１１】
0006499666.tif 000012